(57)【要約】【課題】            椅子やスツールの座部に図柄を施すことにより、透明なゲル状シートクッションを通してその図柄を醸し出し且つ着座者の体形に合った着座状態を実現する。【解決手段】        アルミ等の部材で形成される椅子シート基板１の上面に凹み部１ａを設け、前記凹み部１ａの面に表面仕上げによる模様１ｂを形成し、下方部に透明な樹脂部材が貼付された透明なゲル状シートクッション２を通して前記模様を醸し出す。また凹み部１ａの面に図柄や写真などが配されたフイルム状の図柄シートを貼付し、前記透明なゲル状シートクッション２を通して前記図柄や写真などを醸し出す。【選択図】          図１
0003111143.tif 000002
【実用新案登録請求の範囲】
【請求項１】
アルミ等の金属部材で形成される椅子シート基板の上面に凹みを設けるとともに、前記凹み部の面を表面仕上げにより模様を形成するとともに、前記凹み部に下面に透明な樹脂部材が貼付された透明なゲル状シートクッションを設けて、前記模様を浮き立たせることを特徴とする椅子用座。
【請求項２】
椅子シート基板の上面に凹みを設けるとともに、前記凹み部の面に図柄や写真などが配された図柄シートを貼付するとともに、貼付された図柄シートの上面に、下部に透明な樹脂部材が貼付された透明なゲル状シートクッションを設けて、前記図柄や写真などを浮き立たせることを特徴とする椅子用座。
【請求項３】
前記透明なゲル状シートクッションが有色なシートクッションであることを特徴とする請求項１および請求項２に記載の椅子用座。
【考案の詳細な説明】
【技術分野】
【０００１】
本考案は、椅子やスツールなどの座部に装飾、すなわち模様、図柄および写真などを浮き立たせる椅子用座に関する。
【背景技術】
【０００２】
ゲル状部材で構成されている椅子シートは、ゲル状部材のその弾性の特性を生かし、人間の体形に合うように、その座り心地を目的とした椅子用座は多くある。
【０００３】
【特許文献１】特開平１１−１８８６７号
【考案の開示】
【考案が解決しようとする課題】
【０００４】
ところで、前記した椅子用座にあっては、椅子の座り心地を目的としているものの、椅子の装飾的な目的としては使用されておらず、発泡ウレタンや表面を覆う張りやシートなどで隠されているのが現状で一般の椅子と何ら変化のないものである。
【０００５】
ここで本考案では、透明なゲル状部材のシートクッションを利用することにより、装飾的要素を醸し出す椅子用座を実現する。
【０００６】
本考案は前記した問題点を解消せんとするもので、その目的とするところは、椅子やスツールの座部に装飾を施すことにより、透明なゲル状部材でシートクッションを形成することにより装飾椅子としての座部を提供せんとするにある。
【課題を解決するための手段】
【０００７】
本考案の椅子用座は、前記目的を達成せんとするもので、請求項１の手段は、アルミ等の金属部材で形成される椅子シート基板の上面に凹みを設けるとともに、前記凹み部の面を表面仕上げにより模様を形成するとともに、前記凹み部に下面に透明な樹脂部材が貼付された透明なゲル状クッションを設けて、前記模様を浮き立たせる。
【０００８】
請求項２の手段は、椅子シート基板の上面に凹みを設けるとともに、前記凹み部の面に図柄や写真などが配されたシートを貼付するとともに、貼付されたシートの上面に、下部に透明な樹脂部材が貼付された透明なゲル状クッションを設けて、前記図柄や写真などを浮き立たせる。
【０００９】
請求項３の手段は、前記透明なゲル状シートクッションが有色なシートクッションである。
【考案の効果】
【００１０】
アルミ等の部材で形成される椅子シート基板の上面に凹みを設け、前記凹み部の面をヘアーラインなどの金属特有の表面仕上げなどから醸し出される模様の上に透明で且つ人間の体形に合わせたゲル状部材で座部が形成されているため、金属特有の表面仕上げによる様々な模様が透明なゲル状部材のクッションを通して浮き立たせることができる。
【００１１】
またゲル状部材で形成された透明なクッションの下面に透明な樹脂部材を貼付されているため、装飾用座のみならずシートクッションがずれることがなく、着座者の体形に合ったシートが実現できる。
【００１２】
またゲル状部材の下面に、図柄や写真などが配されたシートを貼付することにより、透明なゲル状部材のシートクッションを通して前記様々図柄や写真などを外から見ることができ、自由な演出が実現できる。
【考案を実施するための最良の形態】
【００１３】
本考案は、椅子シート基板の上面に凹みを設け、前記凹み部の面に模様、図柄や写真などを配し、該シート基板の上面に透明なゲル状部材で形成されるシートクッションを設けることにより、前記シートクッションを透過して、前記模様、図柄および写真などを浮き出せる椅子用座である。
【実施例１】
【００１４】
以下、本考案に係る椅子用座の一実施例を図面とともに説明する。
図１は椅子全体図、図２は椅子シート基板およびゲル状クッションを示す拡大図、図３は椅子シート基板にゲル状クッションが装着された状態の断面図、図４は図柄や写真が施されたシートが貼付された椅子シート基板およびゲル状クッションを示す拡大図、図５は図柄や写真が施されたシートが貼付された椅子シート基板にゲル状クッションが装着された状態を示す断面図である。
【００１５】
１はアルミなどの腐食しない金属等で形成される椅子シート基板であり、後述するシリンダーラム３に取り付けられている。また前記シート基板１の中央部に凹み部１ａが設けられている。さらには前記凹み部１ａには金属などの表面仕上げなどで形成される模様１ｂである。
【００１６】
２は弾性を有するゲル状部材で形成されるゲル状クッションで、人間の体形に合うように弾性を有している。２ａは透明な樹脂部材であり、前記ゲル状クッション２の下方部に貼付されている。
３は前記椅子シート基板を昇降させるためのシリンダーであり、３ａがシリンダーラムとなっている。
【００１７】
前記したごとく、シリンダーラム３ａの上部に前記椅子シート基板１が取り付けられている。
４は前記シリンダーラム３ａを昇降させるための昇降用レバーで、５は脚、６はキャスターである。
【００１８】
以上の構成から、椅子シート基板１の凹み部１ａにヘアーラインなどの表面仕上げなどの金属特有の表面仕上げ加工により形成される模様１ｂの上に透明でかつ弾性を有するゲル状部材で形成されるゲル状シートクッション２を前記椅子シート基板１の凹み部１ａに設けることにより、前記ゲル状シートクッション２を透過して模様１ｂが醸し出されるようになっている。
【００１９】
従って、アルミなどの金属の表面仕上げから形成される様々な模様を透明なゲル状のシートクッション２を通して見ることができ、様々な装飾椅子が実現できる。
【実施例２】
【００２０】
この実施例は、実施例１の構成を一部変更したものである。
すなわち前記した実施例１の構成にあっては、椅子シート基板１に、金属加工などにより前記椅子シート基板１の凹み部１ａに直接模様を施したものを採用したが、金属加工による模様については限界があるため、様々な図柄や写真などが前記ゲル状シートクッション２を通して見れるようにできないかという問題を解決するために成され構造を変形させたものである。
【００２１】
７は図柄や写真などが施されたフイルム状の図柄シートであり、前記椅子シート基板１の凹み部１ａに貼付されるようになっている。実施例１のものと同様に、前記した椅子シート基板１の凹み部１ａの面に図柄や写真などが施されたフイルム状の図柄シート７を貼付することにより、前記ゲル状シートクッション２を通して図柄や写真が醸し出される。
【００２２】
従って、椅子シート基板１に自由な図柄や写真などを施すことによって、装飾椅子を形成しインテリアにマッチさせた自由な空間を演出することができる。
また前記したゲル状シートクッション２の下面に透明な樹脂部材を貼付して前記椅子シート基板１の凹み部１ａにきっちり装着できるようにしているためシートクッション２がずれることなく着座者の体形に合った着座が可能となる。
【実施例３】
【００２３】
この実施例は、実施例１および実施例２の構成を一部変更したものである。
すなわち前記した実施例１および実施例２の構成にあっては、ゲル状のシートクッション２が透明性を有するものであることのみ記載しているが、本実施例では、このゲル状のシートクッション２を有色性のあるシートクッションにしたものである。
図柄や写真などによっては、このゲル状のシートクッション２を有色にすることによって、強調性をもたせ美的感覚を相乗させようとするものである。
【００２４】
以上のことから、本考案は椅子シート部に自由に図柄や写真などを施すことによって、透明なゲル状シートクッション２を透過して、図柄や写真などを見ることができインテリアの中で自由な空間を創出でき、合わせて着座した際に、弾性のあるゲル状シートクッション２で着座者の体形に合った着座ができる。
なお前記実施例では、スツールの椅子用座で説明したが、背凭れなどが付いている一般の椅子に使用することはもちろんのこと、様々な椅子に使用することができることは論ずるまでもない。
【図面の簡単な説明】
【００２５】
【図１】本考案に係る椅子用座の椅子全体図ある。
【図２】本考案に係る椅子用座の椅子シート基板およびシートクッションを示す拡大図である。
【図３】本考案に係る椅子用座の椅子シート基板にシートクッションが設けられた状態を示す断面図である。
【図４】本考案に係る椅子用座の図柄や写真が施されたシートが貼付された椅子シート基板およびシートクッションを示す拡大図である。
【図５】本考案に係る椅子用座の図柄や写真が施されたシートが貼付された椅子シート基板にシートクッションが設けられた状態を示す断面図である。
【符号の説明】
【００２６】
１          椅子シート基板
１ａ        凹み部
１ｂ        模様
２          ゲル状シートクッション
２ａ        透明樹脂部材
３          シリンダー
３ａ        シリンダーラム
４          昇降用レバー
５          脚
６          キャスター
７          図柄シート
【図１】
0003111143.tif 000003
【図２】
0003111143.tif 000004
【図３】
0003111143.tif 000005
【図４】
0003111143.tif 000006
【図５】
0003111143.tif 000007